(57)【要約】【課題】  鍵盤装置において、鍵の前後方向の長さを大きくすることなく、鍵の正常な機能が発揮されるようにする。【解決手段】  複数の鍵ユニット１０Ａ，１０Ｂ，１０Ｃは、それらの後端部にて鍵フレーム２０に固定される。各鍵ユニット１０Ａ，１０Ｂ，１０Ｃは、樹脂によって一体成型され、複数の鍵本体部１１を、水平薄板部１２を介して共通基端部１３にそれぞれ接続させている。共通基端部１３は、上下方向に薄くかつ横方向に長尺状に成型されており、鍵本体部１１の接続箇所の各間に、切り欠き１３ａ，１３ｂからなる薄肉部を備えている。鍵ユニット１０Ａ，１０Ｂ，１０Ｃは、各共通基端部１３にて、鍵フレーム２０にねじ２１によって固定される。鍵本体部１１が成型後の歪、反りなどの変形のために水平面内にて変形していても、この変形は、共通基端部１３に設けた薄肉部の変形によって吸収される。【選択図】  図１
2007256751.tif 000002
【特許請求の範囲】
【請求項１】
前後方向に延設されて押鍵操作される複数の鍵本体部の後端を、変形によって前記鍵本体部の上下方向の揺動を許容する薄肉部を介して、横方向に延設された共通基端部にそれぞれ接続するように一体成型された鍵ユニットと、
前記鍵ユニットを前記共通基端部にて支持する鍵フレームとを備えた鍵盤装置において、
前記共通基端部における前記複数の鍵本体部の接続位置の各間に、変形によって前記共通基端部を前後方向に撓ませる前後方向に薄肉となる薄肉部を設けたことを特徴とする鍵盤装置。
【請求項２】
請求項１に記載した鍵盤装置において、
前記共通基端部をその前面から後方に切り欠いた切り欠き部および前記共通基端部をその後面から前方に切り欠いた切り欠き部のうちの少なく一方の切り欠き部により、前記薄肉部を構成した鍵盤装置。
【請求項３】
請求項１に記載した鍵盤装置において、
前記共通基端部にその後面より後方に突出した薄板部を一体的に設けるとともに、前記薄板部の設けられた前記共通基端部の前側位置に凹部を形成し、前記薄板部および凹部により前記薄肉部を構成した鍵盤装置。
【請求項４】
請求項２または３に記載した鍵盤装置において、
複数の異なる音高に対応した鍵本体部を有する複数種類の鍵ユニットを、前記複数種類の各鍵ユニットの共通基端部を前記鍵フレーム上に重ねて支持させ、かつ
前記各鍵ユニットの共通基端部が互いに勘合する勘合部を前記共通基端部の薄肉部以外の部位に設けた鍵盤装置。
【請求項５】
請求項３に記載した鍵盤装置において、
複数の異なる音高に対応した鍵本体部を有する複数種類の鍵ユニットを、前記複数種類の各鍵ユニットの共通基端部を前記鍵フレーム上に重ねて支持させ、かつ
前記薄板部を前記共通基端部の上面および下面のうちの少なくとも一方より突出させた鍵盤装置。
【発明の詳細な説明】
【技術分野】
【０００１】
本発明は、電子オルガン、電子ピアノなどの鍵盤楽器に用いられる鍵盤装置に関する。
【背景技術】
【０００２】
従来から、下記特許文献１，２に示されているように、樹脂で成形した複数の鍵の後端部を鍵フレームに固定した鍵盤装置はよく知られている。この鍵盤装置は、例えば、図１４の分解斜視図、図１５の斜視図および図１６の側面図に示すように、複数の鍵ユニット１〜３をそれらの後端部にて鍵フレーム４に固定するようにしている。鍵ユニット１は、Ｃ鍵、Ｅ鍵、Ｇ鍵およびＢ鍵を有する樹脂の一体成型品である。鍵ユニット２は、Ｄ鍵、Ｆ鍵およびＡ鍵を有する樹脂の一体成型品である。鍵ユニット３は、Ｃ＃鍵、Ｄ＃鍵、Ｆ＃鍵、Ｇ＃およびＡ＃鍵を有する樹脂の一体成型品である。各鍵ユニット１〜３は、押鍵操作される鍵本体部５ａの後方に水平薄板部５ｂを設けた複数の鍵５の後端部を、横方向に延設された共通基端部５ｃにそれぞれ接続するように構成されている。そして、各鍵ユニット１〜３の共通基端部５ｃを上下に重ねて、各共通基端部５ｃを複数のねじ６を用いて鍵フレーム４に固定している。
【特許文献１】特許第２８１４８８６号公報
【特許文献２】特許第２６２８６５６号公報
【０００３】
前記のように構成した鍵５を鍵盤楽器に組み込んだ状態では、図１７Ａに示すように、鍵フレーム側に設けられて上方に突出した鍵ガイド７が鍵本体部５ａの下面側の凹部に侵入して、鍵５の押鍵時には、鍵本体部５ａが鍵ガイド７に沿って下方に変位する。各鍵ユニット１〜３が、図１７Ａに示すように、精度よく成型されていて変形していない場合には問題ない。しかし、成型後の収縮などによって鍵５が反り、鍵５に変形が発生していると、例えば図１７Ｂに示すように、図示左の鍵５が曲がっていると、鍵ガイド７を鍵本体部５ａの下面凹部に侵入させた際に、図１７Ｃに示すように、図示左の鍵５における鍵本体部５ａの下面凹部（図示Ｘ１部）は鍵ガイド７によって矢印方向の歪力Ｆを受ける。この歪力Ｆは、図示左の鍵５の鍵本体部５ａ、水平薄板部５ｂおよび共通基端部５ｃを介して、他の鍵５に伝達され、他の鍵５の鍵本体部５ａを図示矢印方向に変形させようとする。したがって、他の鍵５の鍵本体部５ａの下面凹部（図示Ｘ２部）と鍵ガイド７との間に比較的大きな摩擦力が発生して、図示左の鍵５に加えて、他の鍵５の押鍵および離鍵の操作感覚が悪化、すなわち鍵の正常な機能が発揮されないという問題がある。
【０００４】
また、前記事態を回避するために、前記特許文献２には、鍵本体部５ａと水平薄板部５ｂとの間または水平薄板部５ｂと共通基端部５ｃとの間に垂直薄板部を設けることも提案されている。この場合、垂直薄板部の変形により、前記図示左の鍵５における力Ｆを小さく抑えるとともに、他の鍵５への力Ｆの伝達が回避される。しかし、このような構成では、鍵５の前後方向の長さが、垂直薄板部の前後方向の長さ分だけ大きくなってしまうという問題がある。
【発明の開示】
【０００５】
本発明は、上記問題に対処するためになされたもので、鍵の前後方向の長さを大きくすることなく、鍵の正常な機能が発揮されるようにした鍵盤装置を提供することにある。
【０００６】
前記目的を達成するために、本発明の特徴は、前後方向に延設されて押鍵操作される複数の鍵本体部の後端を、変形によって鍵本体部の上下方向の揺動を許容する薄肉部を介して、横方向に延設された共通基端部にそれぞれ接続するように一体成型された鍵ユニットと、鍵ユニットを共通基端部にて支持する鍵フレームとを備えた鍵盤装置において、共通基端部における複数の鍵本体部の接続位置の各間に、変形によって共通基端部を前後方向に撓ませる前後方向に薄肉となる薄肉部を設けたことにある。
【０００７】
この場合、共通基端部をその前面から後方に切り欠いた切り欠き部および共通基端部をその後面から前方に切り欠いた切り欠き部のうちの少なく一方の切り欠き部により、薄肉部を構成するとよい。また、共通基端部にその後面より後方に突出した薄板部を一体的に設けるとともに、薄板部の設けられた共通基端部の前側位置に凹部を形成し、薄板部および凹部により薄肉部を構成するようにしてもよい。
【０００８】
上記のように構成した本発明においては、共通基端部に接続された一つまたは複数の鍵本体部が成型後の歪、反りなどの変形のために水平面内にて変形していても、鍵ガイドを鍵本体部の下部に侵入させた状態では、共通基端部に設けた薄肉部が変形して、共通基端部が前後方向に撓む。その結果、前記変形した鍵と鍵ガイドとの摩擦力が大きくなることを防止できるとともに、前記薄肉部の変形によって変形した鍵の歪力が共通基端部を介して他の鍵の鍵本体部に伝播することを防止できる。したがって、鍵の前後方向の長さを大きくすることなく、鍵の正常な機能を簡単に期待できるようになる。
【０００９】
また、本発明の他の特徴は、複数の異なる音高に対応した鍵本体部を有する複数種類の鍵ユニットを、前記複数種類の各鍵ユニットの共通基端部を鍵フレーム上に重ねて支持させた鍵盤装置において、各鍵ユニットの共通基端部が互いに勘合する勘合部を共通基端部の薄肉部以外の部位に設けたことにある。これによれば、複数種類の鍵ユニットを重ねる際に、各鍵ユニットの位置が勘合部によって決定されるので、鍵盤装置を精度よくかつ簡単に組み立てできるようになる。
【００１０】
また、本発明の他の特徴は、前記のように複数種類の鍵ユニットを共通基端部にて重ねるようにし、かつ薄板部および凹部により薄肉部を構成した鍵盤装置において、薄板部を共通基端部の上面および下面のうちの少なくとも一方より突出させるようにしたことにある。これによれば、一つの共通基端部に設けた薄板部に他の共通基端部を当接させることにより、鍵ユニットの前後方向の位置決めを行うことができるので、鍵盤装置を精度よくかつ簡単に組み立てできるようになる。
【発明を実施するための最良の形態】
【００１１】
ａ．第１実施形態
以下、本発明の第１実施形態について図面を用いて説明する。図１は、第１実施形態に係る鍵盤装置の分解斜視図である。図２は、同鍵盤装置の斜視図である。図３は、図２のＡ部の拡大図である。この鍵盤装置は、複数の鍵ユニット１０Ａ，１０Ｂ，１０Ｃを、それらの後端部にて鍵フレーム２０に固定するようになっている。なお、前記図１〜３および後述する他の図面においては、鍵フレーム２０の前部分および鍵フレーム２０上に設けられた鍵ガイドは省略されている。
【００１２】
鍵ユニット１０Ａは、Ｃ鍵、Ｅ鍵、Ｇ鍵およびＢ鍵を有する樹脂の一体成型品である。鍵ユニット１０Ｂは、Ｄ鍵、Ｆ鍵およびＡ鍵を有する樹脂の一体成型品である。鍵ユニット１０Ｃは、Ｃ＃鍵、Ｄ＃鍵、Ｆ＃鍵、Ｇ＃およびＡ＃鍵すなわち複数の黒鍵を有する樹脂の一体成型品である。なお、各鍵ユニット１０Ａ，１０Ｂ，１０Ｃは、本実施形態では１オクターブの鍵域内に含まれる複数の鍵を適宜組み合わせて一体成型しているが、この鍵域に関しても、複数の鍵の種類の組み合わせに関しても、これに限定されずに自由に選択することができる。
【００１３】
各鍵ユニット１０Ａ，１０Ｂ，１０Ｃは、樹脂によって一体成型された鍵本体部１１、水平薄板部１２および共通基端部１３からそれぞれなる。鍵本体部１１は、演奏者によって押鍵操作される部位であり、前後方向に延設されて、下面に凹部を形成している。鍵ユニット１０Ａ，１０Ｂ，１０Ｃの鍵フレーム２０への組み付け時には、前記下面の凹部に、鍵フレーム２０側に設けた図示しない鍵ガイドが侵入して、鍵本体部１１の横方向への変位が規制される。水平薄板部１２は、上下方向に薄い厚みを有し、かつ鍵本体部１１の後端面の幅と同じまたは若干狭い幅を有する薄板状に成型されて、鍵本体部１１の後端面から後方に延設されている。この水平薄板部１２は、鍵ユニット１０Ａ，１０Ｂ，１０Ｃの鍵フレーム２０への取り付け時に、弾性変形により鍵本体部１１の上下方向の揺動を許容する。
【００１４】
共通基端部１３は、上下方向に比較的薄くかつ横方向に長尺状に成型されており、前面に水平薄板部１２の先端面が接続されている。共通基端部１３には、水平薄板部１２の接続箇所の各間に、前面から後方に向けて上下に貫通して切り欠いた切り欠き１３ａがそれぞれ設けられるとともに、後面から前方に向けて上下に貫通して切り欠いた切り欠き１３ｂがそれぞれ設けられている。これらの切り欠き１３ａ，１３ｂは、共通基端部１３を前後方向に撓ませるための前後方向に薄肉となる薄肉部を構成している。なお、本実施形態では、共通基端部１３の前面および後面の両面に切り欠き１３ａ，１３ｂを設けたが、両切り欠き１３ａ，１３ｂのうちの一方を省略してもよい。また、これらの切り欠き１３ａ，１３ｂは、共通基端部１３を前後方向に撓ませることを目的するので、共通基端部１３の一部の前後方向の厚みを薄くするものであればよく、その形状は問わない。
【００１５】
また、鍵ユニット１０Ａ，１０Ｂ，１０Ｃの各共通基端部１３の下面には、その前後方向中央部にて、横方向に延設した所定幅の溝１３ｃが形成されている。鍵ユニット１０Ａ，１０Ｂの各共通基端部１３の上面には、横方向の適宜箇所に、勘合部としての直方体状の複数の凸部１３ｄが一体的に設けられている。この凸部１３ｄは、鍵ユニット１０Ａ，１０Ｂ，１０Ｃを各共通基端部１３にて重ねた際に、溝１３ｃに勘合するもので、その前後方向の幅が前記溝１３ｃの幅よりも若干小さく設定されている。鍵ユニット１０Ａ，１０Ｂの各凸部１３ｄは、図４の鍵ユニット１０Ａ，１０Ｂ，１０Ｃおよび鍵フレーム２０の横方向の位置関係を説明するための平面図に示すように、鍵ユニット１０Ａ，１０Ｂの各切り欠き１３ａ，１３ｂとは異なる横方向位置にそれぞれ設けられている。また、鍵ユニット１０Ａの凸部１３ｄは、鍵ユニット１０Ｂの切り欠き１３ａ，１３ｂとも異なる横方向位置に設けられている。鍵ユニット１０Ｂの凸部１３ｄは、鍵ユニット１０Ｃの切り欠き１３ａ，１３ｂとも異なる横方向位置に設けられている。
【００１６】
さらに、鍵ユニット１０Ａ，１０Ｂ，１０Ｃの各共通基端部１３の横方向の適宜箇所には、上下方向に貫通した複数の貫通孔１３ｅがそれぞれ設けられている。これらの貫通孔１３ｅは、鍵ユニット１０Ａ，１０Ｂ，１０Ｃを鍵フレーム２０に固定するための複数のねじ２１を貫通させるためのもので、図４に示すように、鍵ユニット１０Ａ，１０Ｂ，１０Ｃの各共通基端部１３において、同一の横方向位置に設けられている。
【００１７】
鍵フレーム２０は、金属または樹脂により、横方向に長尺状に一体成型されている。この鍵フレーム２０は、段部を境に上段部２２および下段部２３を有する。上段部２２および下段部２３の上面は水平である。上段部２２の上面には、横方向の適宜箇所に、前述した凸部１３ｄと同様な複数の凸部２２ａが一体的に設けられている。この凸部２２ａは、鍵ユニット１０Ａ，１０Ｂ，１０Ｃを各共通基端部１３にて重ねた際に、鍵ユニット１０Ａの溝１３ｃに勘合するもので、その前後方向の幅が前記溝１３ｃの幅よりも若干小さく設定されている。また、凸部２２ａは、図４に示すように、鍵ユニット１０Ａの切り欠き１３ａ，１３ｂと異なる横方向位置に設けられている。また、上段部２２には、鍵ユニット１０Ａ，１０Ｂ，１０Ｃの各共通基端部１３の貫通孔１３ｅと横方向の同一位置に、ねじ２１が螺合するねじ孔２２ｂが設けられている。
【００１８】
上記のような構成の鍵盤装置においては、図５〜７に示すように、鍵フレーム２０の上段部２２の上面に設けた凸部２２ａが、鍵ユニット１０Ａの共通基端部１３の下面に設けた溝１３ｃに勘合するように、鍵ユニット１０Ａの共通基端部１３を鍵フレーム２０の上段部２２上に重ねる。次に、鍵ユニット１０Ａの共通基端部１３の上面に設けた凸部１３ｄが、鍵ユニット１０Ｂの共通基端部１３の下面に設けた溝１３ｃに勘合するように、鍵ユニット１０Ｂの共通基端部１３を鍵ユニット１０Ａの共通基端部１３上に重ねる。次に、鍵ユニット１０Ｂの共通基端部１３の上面に設けた凸部１３ｄが、鍵ユニット１０Ｃの共通基端部１３の下面に設けた溝１３ｃに勘合するように、鍵ユニット１０Ｃの共通基端部１３を鍵ユニット１０Ｂの共通基端部１３上に重ねる。この場合、鍵ユニット１０Ａ，１０Ｂ，１０Ｃに設けた各貫通孔１３ｅおよび鍵フレーム２０に設けたねじ孔２２ｂを、上下方向の一直線上にくるようにする。また、鍵ユニット１０Ａ〜１０Ｃを鍵フレーム２０に重ねて組み付ける際には、鍵ユニット１０Ａ〜１０Ｃの鍵本体部１１の下面凹部に、鍵フレーム２０上に設けた図示しない鍵ガイドを侵入させる。そして、複数のねじ２１を、鍵ユニット１０Ａ，１０Ｂ，１０Ｃに設けた各貫通孔１３ｅを貫通させて、鍵フレーム２０に設けたねじ孔２２ｂにそれぞれねじ込む。これにより、鍵ユニット１０Ａ，１０Ｂ，１０Ｃの各共通基端部１３が鍵フレーム２０の上段部２２上に重ねられて固定され、図２に示すような鍵盤装置が完成する。
【００１９】
この鍵盤装置によれば、鍵ユニット１０Ａ，１０Ｂ，１０Ｃ内の一つまたは複数の鍵本体部１１が成型後の歪、反りなどの変形のために水平面内にて変形していても、鍵ガイドを鍵本体部１１の下部に侵入させた状態では、共通基端部１３に設けた切り欠き１３ａ，１３ｂによる薄肉部が変形して、共通基端部１３が前後方向に撓む。その結果、前記変形した鍵本体部１１と鍵ガイドとの摩擦力が大きくなることを防止できるとともに、前記薄肉部の変形によって変形した鍵本体部１１の歪力が共通基端部１３を介して他の鍵本体部１１に伝播することを防止できる。したがって、鍵の前後方向の長さを大きくすることなく、鍵の正常な機能を簡単に期待できるようになる。
【００２０】
また、鍵ユニット１０Ａ，１０Ｂ，１０Ｃの共通基端部１３を重ねて鍵盤装置を組み立てる際には、鍵フレーム２０および鍵ユニット１０Ａ，１０Ｂに設けた凸部２２ａ，１３ｄを鍵ユニット１０Ａ，１０Ｂ，１０Ｃに設けた各溝１３ｃにそれぞれ勘合させるので、鍵ユニット１０Ａ，１０Ｂ，１０Ｃの位置決めを簡単に行うことができ、鍵盤装置を精度よくかつ簡単に組み立てできるようになる。
【００２１】
ｂ．第２実施形態
次に、本発明の第２実施形態に係る鍵盤装置について説明する。図８は、同第２実施形態に係る鍵盤装置の分解斜視図である。図９は、同鍵盤装置の斜視図である。図１０は、同鍵盤装置の側面図である。この鍵盤装置は、上記第１実施形態の切り欠き１３ａ，１３ｂに代えて、垂直薄板部１３ｆおよび凹部１３ｇを設けるようにしたものである。他の構成については上記第１実施形態と同じである。
【００２２】
これらの垂直薄板部１３ｆおよび凹部１３ｇについて説明する。図１１は、第２実施形態に係る鍵盤装置の一つの鍵ユニット１０Ａを取出して示す斜視図である。図１２は、図１１のＡ部の拡大図である。図１３は、前記一つの鍵ユニット１０Ａの平面図である。垂直薄板部１３ｆは、上記第１実施形態の切り欠き部１３ａ，１３ｂと横方向の同一位置、すなわち水平薄板部１２の接続位置の各間の位置にて、鍵ユニット１０Ａ，１０Ｂ，１０Ｃの各共通基端部１３から後方に突出して一体的に形成されている。この垂直薄板部１３ｆは、前後方向に薄肉に形成され、共通基端部１３から適宜上方また下方に突出し、突出した部分の前面は共通基端部１３の後面と一致している。また、この鍵ユニット１０Ａ，１０Ｂ，１０Ｃの各共通基端部１３にそれぞれ設けた垂直薄板部１３ｆは、他の鍵ユニット１０Ａ，１０Ｂ，１０Ｃの各共通基端部１３にそれぞれ設けた垂直薄板部１３ｆと横方向位置を適宜一致させている。
【００２３】
凹部１３ｇは、垂直薄板部１３ｆの設けられた共通基端部１３の前側位置を上下面に貫通するように横断面Ｕ字状に切り欠いて形成されている。これらの垂直薄板部１３ｆおよび凹部１３ｇの組み合わせにより、共通基端部１３を前後方向に撓ませるための薄肉部が構成されている。なお、本実施形態では、凹部１３ｇを横断面Ｕ字状に切り欠いて構成したが、横断面Ｕ字状に代えて、横断面Ｖ字状、横断面方形状に切り欠いて構成するようにしてもよい。
【００２４】
上記のように構成した第２実施形態に係る鍵盤装置においても、成型後の歪、反りなどの変形のために水平面内にて変形した鍵ユニット１０Ａ，１０Ｂ，１０Ｃ内の一つまたは複数の鍵本体部１１の下部に鍵ガイドを侵入させても、垂直薄板部１３ｆが変形して、共通基端部１３が前後方向に撓む。また、この鍵盤装置においても、鍵ユニット１０Ａ，１０Ｂ，１０Ｃの共通基端部１３を重ねて鍵盤装置を組み立てる際には、鍵フレーム２０および鍵ユニット１０Ａ，１０Ｂに設けた凸部２２ａ，１３ｄを鍵ユニット１０Ａ，１０Ｂ，１０Ｃに設けた各溝１３ｃにそれぞれ勘合させるようにした。したがって、上記第２実施形態に係る鍵盤装置も、上記第１実施形態と同様に、鍵の前後方向の長さを大きくすることなく、鍵の正常な機能を簡単に期待できるとともに、鍵盤装置を精度よくかつ簡単に組み立てできるようになる。また、垂直薄板部１３ｆは、前後方向の厚みおよび上下方向の高さを自由に設定でき、自由度をもって設計できる。
【００２５】
また、上記第２実施形態においては、共通基端部１３の上面または下面から突出している一つの鍵ユニットの垂直薄板部１３ｆに、他の鍵ユニットの共通基端部１３の後面を当接させれば、各鍵ユニット１０Ａ，１０Ｂ，１０Ｃの前後位置を簡単に合わせることもできる。鍵ユニット１０Ａ，１０Ｂ，１０Ｃの各共通基端部１３にそれぞれ設けた垂直薄板部１３ｆのうちのいずれかは、他の鍵ユニット１０Ａ，１０Ｂ，１０Ｃの各共通基端部１３にそれぞれ設けた垂直薄板部１３ｆと横方向位置において一致しているので、これらの垂直薄板部１３ｆの上下位置を合わせるようにすれば、鍵ユニット１０Ａ，１０Ｂ，１０Ｃの横方向位置を互いに合わせることができる。
【００２６】
このように、この第２実施形態に係る鍵盤装置においては、鍵ユニット１０Ａ，１０Ｂ，１０Ｃの位置は、垂直薄板部１３ｆを用いて調整され得る。したがって、この第２実施形態に係る鍵盤装置においては、共通基端部１３の下面に設けた溝１３ｃおよび共通基端部１３の上面に設けた凸部１３ｄを省略しても、位置決めを簡単に行うことができる。
【００２７】
さらに、本発明の実施にあたっては、上記第１および第２実施形態に限定されるものではなく、本発明の目的を逸脱しない限りにおいて種々の変更が可能である。
【００２８】
例えば、上記第１および第２実施形態では、鍵ユニット１０Ａ，１０Ｂ，１０Ｃおよび鍵フレーム２０の位置合わせのために、上段部２２の上面に凸部２２ａを設けるとともに、共通基端部１３の上面に凸部１３ｄを設け、これらの凸部２２ａ，１３ｄに対応させて、共通基端部１３の下面に溝１３ｃを設けた。しかし、これらの凸部２２ａ，１３ｄと溝１３ｃとの関係を逆にして、上段部２２および共通基端部１３の上面に溝を設け、これに対応させて、共通基端部１３の下面に凸部を設けるようにしてもよい。
【００２９】
また、前記溝１３ｃおよび凸部１３ｄ，２２ａは、鍵ユニット１０Ａ，１０Ｂ，１０Ｃを重ねる際に用いられるものであって、各共通基端部１３および鍵フレーム２０の上段部２２のうちの一方の一部が、他方の一部に勘合すればよいので、特に溝１３ｃおよび凸部１３ｄ，２２ａに限定されない。例えば、溝１３ｃを孔で構成し、かつ凸部１３ｄ，２２ａを前記孔の内周面形状に一致する突起で構成するようにしてもよい。この場合、孔および突起の形状は問わない。また、共通基端部１３の下面側に突起を設けて、鍵フレーム２０の上面および共通基端部１３の上面に孔を設けてもよい。
【００３０】
さらに、上記第１および第２実施形態では、ねじ２１により、鍵ユニット１０Ａ，１０Ｂ，１０Ｃを鍵フレーム２０上に固定するようにした。しかし、接着剤、ビスの圧入などにより、鍵ユニット１０Ａ，１０Ｂ，１０Ｃを鍵フレーム２０上に固定するようにしてもよい。
【図面の簡単な説明】
【００３１】
【図１】第１実施形態に係る鍵盤装置の分解斜視図である。
【図２】第１実施形態に係る鍵盤装置の斜視図である。
【図３】図２のＡ部の拡大図である。
【図４】複数の鍵ユニットおよび鍵フレームの横方向の位置関係を説明するための平面図である。
【図５】複数の鍵ユニットを鍵フレーム上に積み重ねる前の鍵盤装置の側面図である。
【図６】図５のＡ部の拡大図である。
【図７】複数の鍵ユニットを鍵フレーム上に積み重ねた後の鍵盤装置の側面図である。
【図８】第２実施形態に係る鍵盤装置の分解斜視図である。
【図９】第２実施形態に係る鍵盤装置の斜視図である。
【図１０】第２実施形態に係る鍵盤装置の側面図である。
【図１１】図８ないし図１０の一つの鍵ユニットを取出して示す斜視図である。
【図１２】図１１のＡ部の拡大図である。
【図１３】図１１の一つの鍵ユニットの平面図である。
【図１４】従来の鍵盤装置の分解斜視図である。
【図１５】従来の鍵盤装置の斜視図である。
【図１６】従来の鍵盤装置の側面図である。
【図１７Ａ】従来の鍵盤装置における変形していない鍵ユニットの平面図である。
【図１７Ｂ】従来の鍵盤装置における変形した鍵ユニットの平面図である。
【図１７Ｃ】従来の鍵盤装置の欠点を説明するための変形した鍵ユニットの組み付け状態を示す平面図である。
【符号の説明】
【００３２】
１０Ａ，１０Ｂ，１０Ｃ…鍵ユニット、１１…鍵本体部、１２…水平薄板部、１３…共通基端部、１３ａ，１３ｂ…切り欠き部、１３ｃ…溝、１３ｄ…凸部、１３ｆ…垂直薄板部、１３ｇ…凹部、２０…鍵フレーム、２２…上段部、２２ａ…凸部
【図１】
2007256751.tif 000003
【図２】
2007256751.tif 000004
【図３】
2007256751.tif 000005
【図４】
2007256751.tif 000006
【図５】
2007256751.tif 000007
【図６】
2007256751.tif 000008
【図７】
2007256751.tif 000009
【図８】
2007256751.tif 000010
【図９】
2007256751.tif 000011
【図１０】
2007256751.tif 000012
【図１１】
2007256751.tif 000013
【図１２】
2007256751.tif 000014
【図１３】
2007256751.tif 000015
【図１４】
2007256751.tif 000016
【図１５】
2007256751.tif 000017
【図１６】
2007256751.tif 000018
【図１７Ａ】
2007256751.tif 000019
【図１７Ｂ】
2007256751.tif 000020
【図１７Ｃ】
2007256751.tif 000021